(57)【特許請求の範囲】
【請求項１】
床スラブ上に設けられた支持脚部材と、
前記支持脚部材上に支持された床下地材と、
前記床下地材上に敷設される中間敷設材と、
前記中間敷設材上に敷設され、床の表面を形成する床仕上材と、を備え、
前記支持脚部材は、前記床スラブ上に立設された複数の支持脚と、
前記支持脚同士を連結するとともに、前記床下地材を支持する連結部材と、を備え、
前記中間敷設材は、前記床下地材および前記床仕上材よりも、剛性が高く、かつ比重の大きい材料で形成され、
前記床スラブから上方に延びる壁に沿って配置される前記支持脚部材において、前記連結部材が前記壁に沿って設けられる際根太を兼ね、
前記支持脚は、前記床スラブから上方に向けて延びる支柱と、
前記支柱に設けられ、前記連結部材を支持する支持ブラケットと、を備え、
前記際根太を支持する支持ブラケットは、他端部が水平方向に向かって突出するよう設けられており、
前記床下地材は、前記支持脚部材上に所定寸法の隙間を空けて配置され、前記連結部材よりも上方に突出した前記支柱の上端部は、互いに隣接する前記床下地材同士の前記隙間内に挿入され、前記中間敷設材は、前記隙間を覆い、
前記支持脚部材は、二本一対の支持脚とこれら支持脚を連結する連結部材を備えるものと、一本の支持脚と連結部材を備えるものとを含み、
壁際近傍では、前記一本の支持脚と連結部材を備えるものを配置し、壁際近傍以外では、前記二本一対の支持脚とこれら支持脚を連結する連結部材を備えるものを配置する、ことを特徴とする二重床。
【請求項２】
前記床下地材および前記中間敷設材は、上下のパーティクルボード間に、硬質石膏ボードを介在させた構成を含むことを特徴とする請求項１に記載の二重床。
【請求項３】
前記支持脚は、前記床下地材側から前記床スラブ側に振動が伝わるのを抑える防振材を備え、
前記床スラブから上方に延びる壁に沿って配置される前記支持脚部材は、前記床スラブ上において前記壁から離間した位置に配置される前記支持脚部材に対し、前記防振材の剛性が高く設定されていることを特徴とする請求項１または２に記載の二重床。
【発明の詳細な説明】
【技術分野】
【０００１】
本発明は、二重床に関する。
【背景技術】
【０００２】
例えば特許文献１に開示されているように、マンションやビルディング等の建築構造物において、床スラブ上に、支柱を介して床板部を設ける二重床が広く用いられている。
このような二重床において、例えば床板部上を人が歩行したときの歩行音や物品を落下させたときの衝撃音が、床スラブの下方の下階に伝わるのを防ぐため、支持脚の下端部に防振ゴムが設けられている。この防振ゴムにより、床板部から支持脚を介して床スラブに伝わる音や振動を減衰する。
【０００３】
また、特許文献１には、支持脚上に、基材部、下側下地層、上側下地層、床仕上げ部を順次積層して構成した床板部を設ける構成が開示されている。そして、下側下地層、上側下地層の少なくとも一方を合板以外の板材により形成することで、強度を確保するとともに、安価な二重床を実現している。
【０００４】
特許文献２には、両端付近から下方に突出する複数個の足部材を有する細長い板状の根太材を、複数列に配置する構成が開示されている。この構成において、互いに隣接する列同士で、各根太材を、隣接する列の根太材の間に配置することで、全体として千鳥状に配置している。このような構成によれば、上床のきしみを減少させ、下階に伝わる音を抑えることができる。
【先行技術文献】
【特許文献】
【０００５】
【特許文献１】特開２０１３−１２２１１０号公報
【特許文献２】特開２００１−９８７４７号公報
【発明の概要】
【発明が解決しようとする課題】
【０００６】
しかしながら、上述したような二重床においては、床板上に大きな衝撃が加わった場合には、床板部から支持脚を介して床スラブに音や振動が直接伝達されるだけでなく、床板部が床面に直交する方向に振動することによって、床板部の振動が、床板部と床スラブとの間の空間の空気を伝わって床スラブに伝達されることもある。このような場合に、床スラブ自体が振動し、下階に低周波の衝撃音（重量床衝撃音）が伝わることがある。
そこでなされた本発明の目的は、より一層、騒音や振動の伝達を抑えることのできる二重床を提供することである。
【課題を解決するための手段】
【０００７】
本発明は、上記課題を解決するため、以下の手段を採用する。
すなわち、本発明は、床スラブ上に設けられる支持脚部材と、前記支持脚部材上に支持される床下地材と、前記床下地材上に敷設される中間敷設材と、前記中間敷設材上に敷設され、床の表面を形成する床仕上材と、を備え、前記支持脚部材は、前記床スラブ上に立設された複数の支持脚と、前記支持脚同士を連結するとともに、前記床下地材を支持する連結部材と、を備え、前記中間敷設材は、前記床下地材および前記床仕上げ材よりも、剛性が高く、かつ比重の大きい材料で形成されている。
このような構成によれば、床下地材と床仕上げ材との間に設けられる中間敷設材が、剛性が高くかつ比重の大きい材料で形成されることで、支持脚部材に支持される床材自体を、薄くとも高い剛性を有したものとなる。
また、支持脚部材を、複数の支持脚を連結部材で連結するようにすることで、床下地材は、それぞれの支持脚によって点状に支持されるのではなく、連結部材によって線状または面状に支持される。したがって、床下地材、中間敷設材、床仕上げ材が振動しにくくなる。
さらに、複数の支持脚を連結部材で連結することによって、施工時において、複数の支持脚を同時に設置することができ、施工の効率が高まる。
【０００８】
また、前記床下地材および前記中間敷設材は、上下のパーティクルボード間に、硬質石膏ボードを介在させた構成を含むようにしてもよい。
これにより、中間敷設材を、既存の材料を用い、床下地材および床仕上げ材よりも、剛性が高く、かつ比重の大きい材料で容易に形成することができる。
【０００９】
また、前記床スラブから上方に延びる壁に沿って配置される前記支持脚部材において、前記連結部材が前記壁に沿って設けられる際根太を兼ねるようにしてもよい。
このように、連結部材と際根太とを兼ねるようにすることで、二重床を構成する部材数を抑えることができる。
【００１０】
さらに、前記支持脚は、前記床下地材側から前記床スラブ側に振動が伝わるのを抑える防振材と、前記床スラブから上方に向けて延びる支柱と、前記支柱に設けられ、前記連結部材を支持する支持ブラケットと、を備え、前記床スラブから上方に延びる壁に沿って配置される前記支持脚部材は、前記床スラブ上において前記壁から離間した位置に配置される前記支持脚部材に対し、前記防振材の剛性が高く設定されているようにしてもよい。
このような支持脚では、防振材により、床下地材側から前記床スラブ側に振動が伝わるのを抑えることができる。
さらに、室内において、壁に近接した位置には、家具や什器等の重量物を置くことが多い。そこで、壁に沿って配置される支持脚部材において、防振材の剛性を高くしておくことで、重量物を安定して支持することができる。
【発明の効果】
【００１１】
本発明によれば、より一層、騒音や振動の伝達を抑えることが可能となる。
【図面の簡単な説明】
【００１２】
【図１】本実施形態に係る二重床を示す平面図である。
【図２】床スラブの中央部寄りに配置される支持脚部材を示す断面図である。
【図３】床スラブの外周部に配置される支持脚部材を示す断面図である。
【図４】二重床の施工の流れを示す図である。
【図５】第２の実施形態における支持脚部材の構成を示す断面図である。
【図６】中間敷設材を設置しない構成において、連結部材の有無によるインピーダンスレベルを比較した図である。
【図７】中間敷設材を設置した構成において、連結部材の有無によるインピーダンスレベルを比較した図である。
【図８】中間敷設材を設置した構成において、連結部材の有無によるインピーダンスレベルを比較した図である。
【図９】中間敷設材を設置せず、連結部材で支持脚を連結しない構成と、第１、第２の実施形態の構成とにおいて、重量床衝撃音レベル低減量を比較した図である。
【発明を実施するための形態】
【００１３】
以下、添付図面を参照して、本発明による二重床を実施するための形態について、図面に基づいて説明する。
【００１４】
（第１の実施形態）
図１は、本実施形態に係る二重床を示す平面図である。図２は、床スラブの中央部寄りに配置される支持脚部材を示す断面図である。図３は、床スラブの外周部に配置される支持脚部材を示す断面図である。図４は、二重床の施工の流れを示す図である。
図１〜図３に示すように、建築構造物１には、二重床として、床スラブ２上に、支持脚部材１０Ａ、１０Ｂと、支持脚部材１０Ａ、１０Ｂ上に支持される床下地材１０１と、床下地材１０１上に敷設される中間敷設材１０２Ａ，１０２Ｂと、中間敷設材１０２Ｂ上に敷設される床仕上材１０３と、が設けられている。
【００１５】
支持脚部材１０Ａは、床スラブ２の外周部に位置する壁３よりも、床スラブ２の中央部寄りに配置される。図２、図４（ａ）に示すように、支持脚部材１０Ａは、二本一対の支持脚１１，１１と、これら支持脚１１，１１を連結する連結部材１２と、を備えている。
【００１６】
図２に示すように、支持脚１１は、ベース部材（防振材）１３と、支柱１４と、支持ブラケット１５と、を備える。ベース部材１３は、防振性を有したゴム系材料からなる。ベース部材１３は、例えば、外径が上方に向かって漸次段階的に小さくなるよう形成されている。ベース部材１３は、上面に支柱１４が挿入される挿入凹部１３ａが形成されている。
【００１７】
また、支柱１４は、例えば樹脂系材料からなり、その下端部１４ａがベース部材１３の挿入凹部１３ａ内に挿入・固定されている。支柱１４は、その外周面にネジ溝１４ｂが螺旋状に形成されている。支柱１４の上端部１４ｔには、ドライバなどの工具を差し込む工具係合溝１４ｍが形成されている。
【００１８】
支持ブラケット１５は、例えば樹脂系材料からなり、板状で、その中央部に、内周面にネジ溝１５ｎが形成された貫通孔１５ｈが貫通形成されている。この支持ブラケット１５は、ネジ溝１５ｎが形成された貫通孔１５ｈに、支柱１４が挿入され、ネジ溝１４ｂが螺合している。支持ブラケット１５は、貫通孔１５ｈに支柱１４をねじ込むことで、支柱１４に装着される。そして、支持ブラケット１５を支柱１４の中心軸周りに回転させることで、支持ブラケット１５を支柱１４に対して上下方向に高さ調整することができる。
【００１９】
連結部材１２は、平面視長方形状の合板等からなる。図４（ａ）に示すように、連結部材１２の長手方向両端部には、上下方向に貫通する貫通孔１２ｈが形成されている。この連結部材１２の両端部それぞれの貫通孔１２ｈには、下方から支柱１４が挿入され、支持ブラケット１５が連結部材１２の下面に突き当たるようになっている。そして、図２に示すように、支持ブラケット１５は、ビス１７により連結部材１２に一体化されている。ここで、支柱１４の上端部１４ｔは、連結部材１２よりも上方に突出するよう設けてもよい。
このようにして、連結部材１２の両端部には、支持脚１１，１１が一体に設けられることで、支持脚部材１０Ａが構成されている。支持脚部材１０Ａは、支持脚１１，１１と連結部材１２とにより、略門型をなすよう形成されている。
【００２０】
床下地材１０１には、例えば、木質系のパーティクルボードが用いられる。床下地材１０１は、支持脚部材１０Ａの連結部材１２にビス１６を貫通させて、連結部材１２に締結固定される。
また、この床下地材１０１は、互いに隣接する床下地材１０１，１０１同士の間に、所定寸法の隙間Ｃを空けて配置される。
【００２１】
中間敷設材１０２Ａには、例えば、硬質石膏ボードが用いられる。また、中間敷設材１０２Ｂには、例えば、木質系のパーティクルボードが用いられる。中間敷設材１０２Ａは、床下地材１０１、中間敷設材１０２Ｂおよび床仕材１０３よりも、剛性が高く、かつ比重が大きい。中間敷設材１０２Ａ，１０２Ｂは、ビス１８により、床下地材１０１に締結固定される。
【００２２】
床仕上材１０３は、例えば、木質系のフローリング材が用いられる。床仕上材１０３は、接着剤およびフロアーステープル１９により、中間敷設材１０２Ｂに一体に固定されている。
【００２３】
このような支持脚部材１０Ａは、連結部材１２の上面１２ｔで、床下地材１０１、中間敷設材１０２Ａ，１０２Ｂ、床仕上材１０３を支持している。ここで、支持脚部材１０Ａの両端部の支持脚１１，１１は、連結部材１２よりも上方に突出した支柱１４の上端部１４ｔが、互いに隣接する床下地材１０１，１０１同士の隙間Ｃ内に挿入されている。
【００２４】
図１に示すように、支持脚部材１０Ａは、連結部材１２の長手方向Ｘに直交する短手方向Ｙにおいては、一定に間隔Ｌを空けて配列されている。さらに、支持脚部材１０Ａは、長手方向Ｘにおいて互いに隣接する列同士が、短手方向ＹにＬ／２だけオフセットして配置されている。これにより、平面視すると、支持脚部材１０Ａが千鳥状に配置されている。
【００２５】
また、図１、図３に示すように、支持脚部材１０Ｂは、床スラブ２の外周部に位置する壁３に近接して配置される。支持脚部材１０Ｂは、複数本の支持脚２１，２１と、これら支持脚２１，２１を連結する連結部材２２と、を備えている。
【００２６】
図３に示すように、各支持脚２１は、支持脚部材１０Ａと同様のベース部材１３および支柱１４と、支持ブラケット２５と、を備える。
【００２７】
支持ブラケット２５は、例えば樹脂系材料からなる板状で、その一端部２５ａに、内周面にネジ溝２５ｍが形成された貫通孔２５ｈが貫通形成されている。この支持ブラケット２５は、ネジ溝２５ｍが形成された貫通孔２５ｈに支柱１４が挿入され、ネジ溝１４ｂが螺合している。そして、支持ブラケット２５を支柱１４の中心軸周りに回転させることで、支持ブラケット２５を支柱１４に対して上下方向に高さ調整することができる。
支持ブラケット２５は、他端部２５ｂが、支柱１４の中心軸に直交する水平方向に向かって突出するよう設けられている。支持ブラケット２５の他端部２５ｂの上面には、上方に向かって突出する一対の突起片２６，２６が一体に形成されている。
【００２８】
連結部材２２は、例えば集成材からなる。連結部材２２は、突起片２６，２６の間において、支持ブラケット２５の他端部２５ｂ上に支持されている。この連結部材２２は、壁３に沿って配置される際根太である。そして、一本の連結部材２２に対し、複数の支持脚２１が、連結部材２２が連続する方向において間隔をあけて配置されている。
【００２９】
ここで、支持脚２１は、壁３に対し、支持ブラケット２５の他端部２５ｂが隙間Ｋを空けて配置されている。そして、支持ブラケット２５の他端部２５ｂと、壁３との隙間Ｋには、例えば発泡ポリエチレン等の弾力性、防振性を有した緩衝材３０が挟み込まれている。
【００３０】
そして、このような支持脚部材１０Ｂの連結部材２２上に、床下地材１０１、中間敷設材１０２Ａ，１０２Ｂ、床仕上材１０３が支持されている。ここで、床下地材１０１、中間敷設材１０２Ａ，１０２Ｂは、壁３との間に、隙間Ｄを空けて設けられている。
そして、床仕上材１０３は、外周端部１０３ｄが、床下地材１０１、中間敷設材１０２Ａ，１０２Ｂよりも壁３に近接するよう設けられている。
さらに、床仕上材１０３の外周端部１０３ｄの上方に、幅木４１が壁３に固定されて設けられている。幅木４１は、床仕上材１０３の外周端部１０３ｄと壁３との隙間Ｄの上方を覆うように、床仕上材１０３の表面に対し、僅かに隙間を有して設けられている。
【００３１】
上記したような二重床を施工するには、予め、支持脚部材１０Ａ、１０Ｂをそれぞれ組み立てておく。
そして、図４（ａ）に示すように、床スラブ２上の所定位置に、所定数の支持脚部材１０Ａ、１０Ｂ（図４（ａ）には支持脚部材１０Ａのみを図示している）をセットする。
【００３２】
次いで、図２、図３、図４（ｂ）に示すように、支持脚部材１０Ａ、１０Ｂ上に、床下地材１０１を敷設する。このとき、互いに隣接する床下地材１０１，１０１の間の隙間Ｃに、連結部材１２よりも上方に突出した支柱１４の上端部１４ｔが入り込むようにする。
【００３３】
この後、床下地材１０１上に、中間敷設材１０２Ａ，１０２Ｂ、および床仕上材１０３を順次敷設する。これにより、床スラブ２上に、二重床が形成される。
【００３４】
上述したような構成の二重床によれば、床下地材１０１、中間敷設材１０２Ａ，１０２Ｂ、床仕上材１０３を支持する支持脚部材１０Ａ，１０Ｂが、床スラブ２上に立設された複数の支持脚１１，２１と、支持脚１１，２１同士を連結するとともに、床下地材１０１を支持する連結部材１２，２２と、を備えるようにした。これにより、床下地材１０１は、それぞれの支持脚１１，２１によって点状に支持されるのではなく、連結部材１２，２２によって線状または面状に支持される。したがって、床下地材１０１、中間敷設材１０２Ａ，１０２Ｂ、床仕上材１０３が強固に支持され、振動しにくくなる。
また、中間敷設材１０２Ａは、床下地材１０１、中間敷設材１０２Ｂおよび床仕上材１０３よりも、剛性が高く、かつ比重の大きい材料で形成されている。これにより、支持脚部材１０Ａ，１０Ｂに支持される床材自体を、薄くとも高い剛性を有したものとすることができる。
その結果、二重床において、より一層、騒音や振動の伝達を抑えることが可能となる。
【００３５】
さらに、複数の支持脚１１，２１を連結部材１２，２２で連結することによって、施工時において、複数の支持脚１１，２１を同時に設置することができる。したがって、施工の効率が高まる。
【００３６】
また、床スラブ２から上方に延びる壁３に沿って配置される支持脚部材１０Ｂにおいて、連結部材２２が壁３に沿って設けられる際根太を兼ねるようにした。これにより、二重床を構成する部材数を抑えることができる。
【００３７】
さらに、支持脚１１，２１は、床下地材１０１側から床スラブ２側に振動が伝わるのを抑えるベース部材１３と、床スラブ２から上方に向けて延びる支柱１４と、支柱１４に設けられ、連結部材１２，２２を支持する支持ブラケット１５，２５と、を備えるようにしてもよい。このような支持脚１１，２１では、ベース部材１３により、床下地材１０１側から床スラブ２側に振動が伝わるのを抑えることができる。
【００３８】
（第２の実施形態）
次に、本発明にかかる二重床の第２の実施形態について説明する。なお、以下に説明する第２の実施形態においては、上記第１の実施形態と共通する構成については図中に同符号を付してその説明を省略する。
図１に示すように、この実施形態における建築構造物１には、二重床として、床スラブ２上に、支持脚部材１０Ａ、１０Ｃと、支持脚部材１０Ａ、１０Ｃ上に支持される床下地材１０１、中間敷設材１０２Ａ，１０２Ｂ、および床仕上材１０３と、が設けられている。
【００３９】
図２に示すように、床スラブ２の中央部寄りに配置される支持脚部材１０Ａは、上記第１の実施形態に示した構成と同様、二本一対の支持脚１１，１１と、これら支持脚１１，１１を連結する連結部材１２と、を備えている。
連結部材１２の両端部には、支持脚１１，１１が一体に設けられることで、支持脚部材１０Ａが構成されている。支持脚部材１０Ａは、支持脚１１，１１と連結部材１２とにより、略門型をなすよう形成されている。
【００４０】
図５は、この実施形態における支持脚部材の構成を示す断面図である。
図５に示すように、支持脚部材１０Ｃは、床スラブ２の外周部に位置する壁３に近接して配置される。支持脚部材１０Ｃは、複数本の支持脚３１，３１と、これら支持脚３１，３１を連結する連結部材２２と、を備えている。
【００４１】
支持脚３１は、ベース部材（防振材）３３および支柱３４と、上記第１実施形態と同様の支持ブラケット２５と、を備える。
ここで、この実施形態におけるベース部材３３は、床スラブ２の中央部寄りに配置される支持脚部材１０Ａの支持脚１１を構成するベース部材１３（図２参照）よりも、上下方向の厚さが小さく設定されている。そして、支柱３４は、その下端部３４ａがベース部材３３に固定されている。この支柱３４は、その外周面にネジ溝３４ｂが螺旋状に形成されている。
【００４２】
連結部材２２は、例えば集成材からなる。連結部材２２は、突起片２６，２６の間において、支持ブラケット２５の他端部２５ｂ上に支持されている。この連結部材２２は、壁３に沿って配置される際根太である。そして、一本の連結部材２２に対し、複数の支持脚３１が、連結部材２２が連続する方向において間隔を空けて配置されている。
【００４３】
ここで、支持脚３１は、壁３に対し、支持ブラケット２５の他端部２５ｂが間隔Ｋを空けて配置されている。そして、支持ブラケット２５の他端部２５ｂと、壁３との間には、例えば発泡ポリエチレン等の弾力性、防振性を有した緩衝材３０が挟み込まれている。
【００４４】
そして、このような支持脚部材１０Ｃの連結部材２２上に、床下地材１０１、中間敷設材１０２Ａ，１０２Ｂ、床仕上材１０３が支持されている。ここで、床下地材１０１、中間敷設材１０２Ａ，１０２Ｂとの間に、隙間Ｄを開けて設けられている。
そして、床仕上材１０３は、外周端部１０３ｄが、床下地材１０１、中間敷設材１０２Ａ，１０２Ｂよりも壁３に近接するよう設けられている。
さらに、床仕上材１０３の外周端部１０３ｄの上方に、幅木４１が壁３に固定されて設けられている。幅木４１は、床仕上材１０３の外周端部１０３ｄと壁３との隙間Ｄの上方を覆うように、床仕上材１０３の表面に対し、僅かに隙間を有して設けられている。
【００４５】
上述したような二重床によれば、床下地材１０１、中間敷設材１０２Ａ，１０２Ｂ、床仕上材１０３を支持する支持脚部材１０Ａ，１０Ｃが、床スラブ２上に立設された複数の支持脚１１，３１と、支持脚１１，３１同士を連結するとともに、床下地材１０１を支持する連結部材１２，２２と、を備えるようにした。これにより、床下地材１０１は、それぞれの支持脚１１，３１によって点状に支持されるのではなく、連結部材１２，２２によって線状または面状に支持される。したがって、床下地材１０１、中間敷設材１０２Ａ，１０２Ｂ、床仕上材１０３が振動しにくくなる。
また、中間敷設材１０２Ａは、床下地材１０１、中間敷設材１０２Ｂおよび床仕上材１０３よりも、剛性が高く、かつ比重の大きい材料で形成されている。これにより、支持脚部材１０Ａ，１０Ｂに支持される床材自体を、薄くとも高い剛性を有したものとなる。
その結果、二重床において、より一層、騒音や振動の伝達を抑えることが可能となる。
【００４６】
さらに、複数の支持脚１１，３１を連結部材１２，２２で連結することによって、施工時において、複数の支持脚１１，３１を同時に設置することができる。したがって、施工の効率が高まる。
【００４７】
また、床スラブ２から上方に延びる壁３に沿って配置される支持脚部材１０Ａ，１０Ｃにおいて、連結部材１２，２２が壁３に沿って設けられる際根太を兼ねるようにした。これにより、二重床を構成する部材数を抑えることができる。
【００４８】
さらに、支持脚３１は、床下地材１０１側から床スラブ２側に振動が伝わるのを抑えるベース部材３３と、床スラブ２から上方に向けて延びる支柱３４と、支柱３４に設けられ、連結部材２２を支持する支持ブラケット３５と、を備えるようにしてもよい。このような支持脚３１では、ベース部材３３により、床下地材１０１側から床スラブ２側に振動が伝わるのを抑えることができる。
【００４９】
さらに、床スラブ２から上方に延びる壁３に沿って配置される支持脚部材１０Ｃは、床スラブ２上において壁３から離間した位置に配置される支持脚部材１０Ａに対し、ベース部材３３の剛性が高く設定されている。
室内において、壁３に近接した位置には、家具や什器等の重量物を置くことが多い。そこで、壁３に沿って配置される支持脚部材１０Ｃにおいて、ベース部材３３の剛性を高くしておくことで、重量物を安定して支持することができる。
【００５０】
（実施例）
上記したような第１、第２の実施形態の構成について、振動解析により、床スラブ２の揺れやすさ（インピーダンスレベル）を算出した。
まず、中間敷設材１０２Ａ，１０２Ｂを設置せずに、支持脚部材１０Ａ，１０Ｃ上に床下地材１０１と床仕上材１０３のみを敷設した場合について検討した。ここで、支持脚１１，３１を連結部材１２，２２で連結した支持脚部材１０Ａ，１０Ｃを用いる場合（比較例１）と、支持脚１１，３１を連結部材１２，２２で連結しない場合（比較例２）と、を比較とした。その結果を図６に示す。
この図６に示すように、下地材１０１と床仕上材１０３のみを敷設した場合、支持脚１１，３１を連結部材１２，２２で連結しない比較例２に対し、支持脚１１，３１を連結部材１２，２２で連結した支持脚部材１０Ａ，１０Ｃを用いた比較例１で、１６〜１２５Ｈｘの周波数域で、インピーダンスレベルが低く、床スラブ２が振動しやすいことが確認された。
【００５１】
次に、支持脚部材１０Ａ，１０Ｃ上に、床下地材１０１、中間敷設材１０２Ａ，１０２Ｂ、床仕上材１０３を敷設した場合について検討した。ここで、支持脚１１，３１を連結部材１２，２２で連結した支持脚部材１０Ａ，１０Ｃを用いる場合であって、第２実施形態の構成である場合（実施例２）と、支持脚１１，３１を連結部材１２，２２で連結しない場合（比較例３）と、を比較とした。その結果を図７に示す。
この図７に示すように、下地材１０１、中間敷設材１０２Ａ，１０２Ｂ、床仕上材１０３を敷設した場合、支持脚１１，３１を連結部材１２，２２で連結しない比較例３よりも、支持脚１１，３１を連結部材１２，２２で連結した支持脚部材１０Ａ，１０Ｃを用いる実施例２の方が、３１．５Ｈｚを除く全ての帯域でインピーダンスレベルが高く、床スラブ２が振動しにくいことが確認された。
【００５２】
上記の中間敷設材１０２Ａ，１０２Ｂを敷設した場合において、支持脚部材１０Ｃを１０Ｂに変えた場合は、図８に示すように、支持脚１１、２１を連結部材１２、２２で連結しない場合（比較例４）と比較して、支持脚１１、２１を連結部材１２、２２で連結した第１実施形態の構成である場合（実施例１）は周波数全域でインピーダンスレベルが高く、床スラブ２が振動しにくいことが確認された。
【００５３】
さらに、中間敷設材１０２Ａ，１０２Ｂを設置せずに、支持脚部材１０Ａ，１０Ｂ（１０Ｃ）上に床下地材１０１と床仕上材１０３のみを敷設し、支持脚１１，２１を連結部材１２，２２で連結しない構成（比較例５）と、第１実施形態の構成（実施例１）と、第２実施形態の構成（実施例２）と、について、実際に床仕上げ材１０３上に重量物を落下させた場合の重量衝撃音レベル低減量を測定した。その結果を図９に示す。
この図９に示すように、支持脚部材１０Ａ，１０Ｂ（１０Ｃ）上に床下地材１０１と床仕上材１０３のみを敷設し、支持脚１１，２１を連結部材１２，２２で連結しない構成とした比較例５に対し、第１実施形態の構成を採用した実施例１、第２実施形態の構成を採用した実施例２では、重量衝撃音レベル低減量が大きいことが確認された。
【００５４】
（その他の実施形態）
なお、本発明の二重床は、図面を参照して説明した上述の各実施形態に限定されるものではなく、その技術的範囲において様々な変形例が考えられる。
例えば、支持脚部材１０Ａ〜１０Ｃの配置は、図１に示したものに限らない。
また、支持脚１１，２１，３１の構成も、同様の機能を発揮できるのであれば、適宜他の構成とすることができる。
さらに、支持脚部材１０Ａ〜１０Ｃや、床下地材１０１、中間敷設材１０２Ａ，１０２Ｂ、床仕上材１０３を構成する材料は、上記に例示したものに限らず、適宜他の材料とすることができる。
これ以外にも、本発明の主旨を逸脱しない限り、上記実施の形態で挙げた構成を取捨選択したり、他の構成に適宜変更したりすることが可能である。
【符号の説明】
【００５５】
１  建築構造物
２  床スラブ
３  壁
１０Ａ，１０Ｂ，１０Ｃ  支持脚部材
１１，２１，３１  支持脚
１２，２２  連結部材
１３，３３  ベース部材（防振材）
１４，３４  支柱
１５，２５  支持ブラケット
１０１  床下地材
１０２Ａ，１０２Ｂ  中間敷設材
１０３  床仕上材
【図１】
0006571343.tif 000002
【図２】
0006571343.tif 000003
【図３】
0006571343.tif 000004
【図４】
0006571343.tif 000005
【図５】
0006571343.tif 000006
【図６】
0006571343.tif 000007
【図７】
0006571343.tif 000008
【図８】
0006571343.tif 000009
【図９】
0006571343.tif 000010